(57)【要約】      （修正有）【課題】ジャッキアップした車体からホイールピンネジ部を損傷させないようタイヤの取り外し、又は取り付け時も少ない労力で簡単に交換できるタイヤ交換補助具を提供する。【解決手段】真ん中に窪みを付けた形状で組み立てられた構造物をタイヤの支持台Aとし、開放部をタイヤの挿入口１とし、タイヤ挿入口と平行に、２本のロール３を設けスイングアーム７と移動基台B、先端車輪付きで車輪軸１０を支点とした連結機構６とスイングアーム７が連動する物で交換時は、タイヤ側面よりタイヤ交換補助具を差し込みスイングレバー５を下げると水平に支持台Aが上がり平面的な移動、タイヤの回転、調整が容易に行える機能を備えたタイヤ交換補助具とする。【選択図】図１
2010064615.tif 000002
【特許請求の範囲】
【請求項１】
タイヤ支持台の真ん中に窪みを付ける事で、支点の車輪軸と移動基台先端車輪間の間隔を開ける事で、本補助具間の重心を車輪間に移動させる形状で組立てられた構造物を、タイヤの支持台とし前方側開放部をタイヤの挿入口としタイヤの挿入口と平行にロール軸取り付け穴を設け、ロールを取り付け、またタイヤ支持台後方側にスイングアームと連結機構用取り付けブラケットがあり、車輪軸を支点とした所より、移動基台先端車輪付きと車輪軸を支点とした連結機構とスイングアームが連動する物で、スイングレバーを下げるとロール支持台が水平に上がり、平面的な移動・タイヤの回転・調整を特徴とする、コンパクト型簡単タイヤ交換補助具。
【請求項２】
タイヤサイズに伴うロール軸ピッチ可変構造として、タイヤ支持台前方
側開放部より平行にロール軸取り付け加工穴ピッチ説明、タイヤに荷重が、かかってない取り付けする状態の時、タイヤ交換具の２本のロールがタイヤに当たらず差し込み出来る穴ピッチのことで、タイヤサイズ径で取り付け穴を変更するものである。請求項１記載の車両用コンパクト型簡単タイヤ交換補助具。
【請求項３】
スイングレバー着脱構造について、スイングレバー受けに取り付いたスイングレバーは、使用目的で上下逆さに使用できる。タイヤ取り付けの時ホイールピンの高さとホイール取り付けの穴の高さと回転を目線を下げて確認、合った所で前方に押し出し取り付けスイングレバー取手部が低い位置にくるよう角度付けてあり、上記以外での使用目的は、スイングレバー逆さで取り付けし取っ手部が高い位置になり、タイヤをロール間に乗せ運搬することもできる。請求項１または２記載の車両用コンパクト型簡単タイヤ交換補助具。
【発明の詳細な説明】
【技術分野】
【０００１】
この発明品は自動車のタイヤ交換に取り外し、取り付けする為のタイヤ交換用補助具に関するものである。
【背景技術】
【０００２】
従来タイヤ交換は、取り外し・取り付けは、手動式ジャッキ油圧ジャキで上げ、手動レンチ・インパクトレンチでタイヤ固定のナットを外し、ホイールピンのネジを傷つけないよう気を付けての作業であった。又、取り付けの時は重いタイヤをホイールピンとホイールの穴に狙いをつけ支え腕力だけで取り付け行ってきた。整備工場に於いては取り外し、取付け易い高さまで油圧リフターで上げての作業なので、少しは軽減できるが一般用としては、例えば公知のタイヤ交換用の構造としては、特許文献1および特許文献2のように、タイヤを保持させる構造が開示されている。
【特許文献１】特開  ２００２−２７４３３８公報
【特許文献２】特開  ２００７−    １５５７公報
【発明の開示】
【発明が解決しようとする課題】
【０００３】
従来タイヤ交換は、取り外し、取り付けは手動ジャッキ油圧ジャキでタイヤが浮く前に取り付けナットを全部緩め、傷をつけない用に気を付けての作業は重労働で体力のない人や高齢者にとっては苦痛を伴う作業だった。
【課題を解決するための手段】
【０００４】
真ん中に窪みを付けた形状で組み立てられた構造物をタイヤ支持台として、開放部をタイヤの挿入口とし、タイヤ挿入口と平行に2本のロールを設けスイングアームと移動基台先端車輪付でキャスター軸を支点とした、連結機構とスイングアームが連動し、スイングレバーで上下・平面的な移動・回転が動作させながらでも調整を行える機能を整える事を特徴とする物である。
【０００５】
本発明は特別の習熟を必要とせず簡単に操作が出来、ホイールピンの損傷・移動・回転の軽減を図り短時間でタイヤ交換が出来小型で持ち運びが可能なタイヤ交換補助具を提供する目的である
【発明の効果】
【０００６】
以下タイヤ交換の手順を説明するタイヤ取り外しの場合、車体を軽くジャッキアップし軽くボルトナットを全部緩めてから、車体が浮くまで上げナットを完全に外し本発明の補助具を挿入し軽く乗る程度に、スイングアームを下げホイールピンネジにホイール穴が接触しない高さを維持したまま手前に引いてタイヤ取り外しができる。
【０００７】
次にタイヤ取り付けの場合タイヤ側面より本補助具を差込みスイングレバーを下げタイヤを浮かしそのまま舵取り、取り付け場所直前まで行き、ホイールピンとホイール穴を出来るだけ水平の高さに目線で確認・回転・高さ・穴の位置が合った所で中心に向かってホイール穴をホイールピンに嵌める。ナットを締め後レバーを下げ手前に引いてタイヤ取り付け作業の完了できる。
【０００８】
図３の様な場合はタイヤ交換補助具にタイヤを載せて、左手でタイヤを軽く支え右手でレバーを下げ浮かした状態でタイヤを運搬もできる。左利きの場合は左右対称で使用できる。
図１は本発明のタイヤ交換用補助具を示す斜面図である。
図２は本発明のタイヤ交換用補助具でタイヤを載せ浮かしている状態で取り付け取り外しの時も同じである。
図３は本発明のタイヤ交換補助具でタイヤを載せ運搬する状態で、スイングレバーを
上下逆さに、使用すれば取り付けする状態にもなるものである。
【発明を実施するための最良の形態】
【０００９】
発明の実施の形態を図１〜図３に、基づいて、その構造を説明する本発明のコンパクト型簡単タイヤ交換補助具は真ん中に窪みを付けた形状で構成されている。タイヤを乗せるロール３は方軸支持タイプのロール３で左右平行に２本取り付いている。ロール支持台A  スイングアーム7車輪８スイングレバー５から構成しロール支持台A後ろ側左右にスイングアーム７と左右溶接構造で一体化した連結機構６を取り付けするブラケット１２があり、車輪8の軸受け連結棒10からは移動基台先端車輪付きBと連結し、さらに中間あたりからリンクアーム７がロール支持台A後ろ側のブラケット１２の前側と連結、後ろ側は連結機構６と車輪８軸が連結している構造である。スイングレバー受け４は連結機構間６に取り付いた所にあり差し込み、入れ替えられる様にし、スイングレバー５を固定出来る様にした。
【００１０】
〈上記の実施例と作用に、ついて説明〉
タイヤを載せてから搬送するまで図３  先ずタイヤを載せる所までタイヤ交換補助具のスイングレバー５を下げロール支持台Aを浮かせた状態で舵取りし直前まで、いきタイヤを立たせ片手で支えタイヤの側面よりタイヤ交換補助具をスイングレバー５を少し下げロール支持台Aを少し浮かせた状態で差込増す。その後スイングレバー５を下げタイヤが浮いた所で、片手はタイヤを支えスイングレバー５で舵取りし搬送します。
【産業上の利用可能性】
【００１１】
〈タイヤを装着する時は、図１・２〉
上記の実施例でタイヤを浮かせる所までは同じですが、タイヤの取り付け面の確認をします。合っていたら交換する所まで浮かせ、直前まで行き片手はタイヤを支え、スイングレバー５を固定しているＬ字型止めネジ１３を弛めスイングレバー５を、図１のように入れ替えをし、Ｌ字型止めネジを締めます。その後目線をタイヤを取り付けるホイールピン上部位の所まで下げ、高さ・位置が合った所で中心に押し嵌める。その後ナットを軽く締めたらスイングレバー５を少し下げ、ロール支持台Ａを浮かし手前にタイヤ交換補助具を引いてホイールナットを正確に締めて終わりとする。
【００１２】
上記のタイヤ支持台は金属材を溶接により組み立て、ロール用・連結機構・スイングアーム用ブラケットからなり、2本のロールを取り付けし凹型の構造物で開放部をタイヤ挿入口としたタイヤ支持台Ａとする。
【００１３】
又連結機構は副骨格２と左右溶接の一体化でキャスター軸１０とロール支持台Ａのブラケット上部と連結下部は、車輪軸１０より移動基台B先端車輪付きで、車輪軸に近い所からスイングアーム７とロール支持台Ａを連結したものである。
【００１４】
以上の機構を凹字型のロール支持台に組み立てることにより、スイングレバー操作により車輪軸と移動基台先端車輪間で昇降させることで床面上、平面的な位置移動とロール上でのタイヤの回転の三つの機能を備えることにより、タイヤ交換を容易にすることである。
【図面の簡単な説明】
【００１５】
【図１】本発明のタイヤ交換用補助具を示す斜面図である。
【図２】本発明のタイヤ交換用補助具でタイヤを載せ浮かしている状態で取り付け取り外しの時も同じである。
【図３】本発明のタイヤ交換補助具でタイヤを載せ運搬する状態で、スイングレバーを上下逆さに、使用すれば取り付けする状態にもなるものである。
【符号の説明】
【００１６】
Ａ：ロール支持台 （主骨格）
Ｂ：移動基台
１：タイヤ挿入口
２：副骨格（連結機構も伴う）
３：ロール
４：スイングレバー受け
５：スイングレバー
６：連結機構
７：スイングアーム
８：車輪（大）
９：車輪（小）
１０：軸受け連結棒
１１：タイヤサイズ別ロール軸取り付け穴
１２：連結機構  スイングアーム  取り付けブラケット
１３：Ｌ型止めネジ
【図１】
2010064615.tif 000003
【図２】
2010064615.tif 000004
【図３】
2010064615.tif 000005